(57)【要約】【課題】磁石間に隙間が生じることによる磁石の緩みを確実に抑え、且つ同極対向磁石を構成する複数の磁石間の距離をなるべく小さくすることで発電効率を向上させた振動発電機、及び、該振動発電機に使用される可動子を提供する。【解決手段】振動発電機１の可動子１３は、永久磁石１４と永久磁石１５とからなる同極対向磁石を備えている。永久磁石１４、１５は、締結部材１６によって締結されている。永久磁石１４、１５の間に、緩衝部材２４が挟持されている。永久磁石１４のうち永久磁石１５と対向する右側壁に、凹んだ縮減部が設けられている。縮減部を設けることで、永久磁石１４のうち緩衝部材２４と接触する部分の面積は小さくなるので、永久磁石１４から緩衝部材２４に加えられる力は集中し、緩衝部材２４は薄くなる。【選択図】図１
2012050218.tif 000002
【特許請求の範囲】
【請求項１】
永久磁石をコイル内で往復移動させることで、前記コイルに電流が誘起し発電する振動発電機であって、
前記コイルが巻回された筒状部材と、
複数の永久磁石、前記複数の永久磁石の同極同士を対向させて締結する締結部材、及び、前記複数の永久磁石の間に設けた緩衝部材を備え、前記筒状部材内を往復移動可能に設けた可動子と
を備え、
少なくとも一つの前記永久磁石のうち前記緩衝部材と対向する対向面に、前記緩衝部材と前記対向面との接触面積を縮減する縮減部を備えたことを特徴とする振動発電機。
【請求項２】
前記縮減部は、前記対向面の外縁よりも内側に設けられていることを特徴とする請求項１に記載の振動発電機。
【請求項３】
前記縮減部は、前記対向面に設けた凹部であることを特徴とする請求項１又は２に記載の振動発電機。
【請求項４】
前記緩衝部材における前記可動子の移動方向と直交する断面の外縁は、前記永久磁石における前記可動子の移動方向と直交する断面の外縁よりも内側にあることを特徴とする請求項１から３のいずれかに記載の振動発電機。
【請求項５】
永久磁石をコイル内で往復移動させることで、前記コイルに電流が誘起し発電する振動発電機に使用され、筒状部材内を往復移動可能に設けた可動子であって、
複数の永久磁石と、
前記複数の永久磁石の同極同士を対向させて締結する締結部材と、
前記複数の永久磁石の間に設けた緩衝部材と
を備え、
少なくとも一つの前記永久磁石のうち前記緩衝部材と対向する対向面に、前記緩衝部材と前記対向面との接触面積を縮減する縮減部を備えたことを特徴とする可動子。
【発明の詳細な説明】
【技術分野】
【０００１】
本発明は、振動によって発電する振動発電機、及び、該振動発電機に使用される可動子に関する。
【背景技術】
【０００２】
従来、振動による運動エネルギーを電気エネルギーに変換する振動発電機が提案されている。振動発電機では、永久磁石がコイル内で振動することで、コイルに誘導電流を発生させる。振動発電機は、発生した誘導電流を負荷に供給できる。コイル内を振動する磁石として、複数の磁石の同極同士を対向させて一体化させた磁石（同極対向磁石）を使用した振動発電機が提案されている（例えば特許文献１参照）。特許文献１に記載の機器では、交互に巻き方向が逆となる複数のコイル中で、同極対向磁石を移動させる。これによって、振動発電機の発電効率を高めている。
【０００３】
同極対向磁石を構成する複数の磁石間には反発力が作用するので、複数の磁石は締結部材によって両側から押え付けられている。以下、同極対向磁石と締結部材とを備えるユニットを、「可動子」という。ここで、締結部材により複数の磁石を組付けた後に、磁石間の反発力により、微小な空間が発生することが問題となる。反発する磁力は磁石間距離の二乗に反比例する（クーロンの静磁界の法則）ため、複数の磁石を同極対向にして配置する場合、磁石間距離を小さくするほど磁石間の反発力は大きくなり、微小な空間は発生しやすくなる。またこの微小な空間が大きくなると可動子内の磁石が緩んでしまう。
【先行技術文献】
【特許文献】
【０００４】
【特許文献１】特開２００９−２１３１９４号公報
【発明の概要】
【発明が解決しようとする課題】
【０００５】
そこで、複数の磁石が緩んでしまうことを防止するために、弾性力を有する緩衝部材が複数の磁石間に設けられる場合がある。磁石が緩んでしまった場合、複数の磁石間の反発力によって、可動子の移動方向に対して直交する方向に複数の磁石が移動し、互いにずれてしまう可能性がある。複数の磁石にずれが生じた場合、可動子の運動は阻害され、発電効率は低下する。これに対して緩衝部材は、弾性力によって両側の締結部材に磁石を押し付ける。これによって、締結部材と磁石との間に隙間が生じることを防止できるので、複数の磁石は緩むことなく確実に固定される。さらに緩衝材は、磁石間の隙間を埋める。従って、振動時において、磁石間の衝突や、磁石と締結部材との間の衝突の衝撃を和らげ、可動子の破損を防止できる。
【０００６】
しかしながら、複数の磁石間に緩衝部材を設けた場合、緩衝部材の厚み分、複数の磁石の間は離隔する。複数の磁石の間が離隔すると、複数の磁石から発生する磁束密度が低下し、発電効率が低下するという問題点がある。
【０００７】
本発明の目的は、磁石間に隙間が生じることによる磁石の緩みを確実に抑え、且つ同極対向磁石を構成する複数の磁石間の距離をなるべく小さくすることで発電効率を向上させた振動発電機、及び、該振動発電機に使用される可動子を提供することにある。
【課題を解決するための手段】
【０００８】
本発明の第一態様に係る振動発電機は、永久磁石をコイル内で往復移動させることで、前記コイルに電流が誘起し発電する振動発電機であって、前記コイルが巻回された筒状部材と、複数の永久磁石、前記複数の永久磁石の同極同士を対向させて締結する締結部材、及び、前記複数の永久磁石の間に設けた緩衝部材を備え、前記筒状部材内を往復移動可能に設けた可動子とを備え、少なくとも一つの前記永久磁石のうち前記緩衝部材と対向する対向面に、前記緩衝部材と前記対向面との接触面積を縮減する縮減部を備えている。
【０００９】
第一態様によれば、緩衝部材と永久磁石との接触面積が縮減される。締結部材によって永久磁石をかしめる力が一定の場合、縮減部がない場合に比べ、永久磁石が緩衝部材を挟みこむ単位面積あたりの力は大きくなる。緩衝部材は大きな圧力で押し潰され、薄くなりやすくなる。また縮減部は、押し潰された緩衝部材が逃げこむ領域となるので、緩衝部材は更に押し潰されやすくなる。これによって、複数の永久磁石間の距離を小さくできる。複数の永久磁石から発生する磁束密度は大きくなる。また、縮減部がない場合に比べ、締結部材によって永久磁石に大きな力を加えることなく、永久磁石間に隙間が生じることを防止できる。複数の永久磁石は、締結部材によって押さえつける力が小さい場合であっても、緩むことなく確実に固定される。従って、複数の永久磁石を締結する際に永久磁石が破損することを抑制できる。
【００１０】
また第一態様において、前記縮減部は、前記対向面の外縁よりも内側に設けられていてもよい。これによって、対向面の外縁部分を、他の永久磁石と近接させることができる。これによって、永久磁石から発生する磁束密度は更に大きくなるので、振動発電機の発電効率を更に高めることができる。
【００１１】
また第一態様において、前記縮減部は、前記対向面に設けた凹部であってもよい。対向面に凹部を設けることで、容易に縮減部を対向面に形成させることができる。
【００１２】
また、第一態様において、前記緩衝部材における前記可動子の移動方向と直交する断面の外縁は、前記永久磁石における前記可動子の移動方向と直交する断面の外縁よりも内側にあってもよい。これによって、永久磁石を締結部材によって締結させた際、緩衝部材は、永久磁石における可動子の移動方向と直交する断面の外縁から外側にはみ出さない。可動子の振動時、緩衝部材は筒状部材と接触しない。これによって、可動子は滑らかに筒状部材内を往復移動できるので、振動発電機は効率よく発電することができる。
【００１３】
本発明の第二態様に係る可動子は、永久磁石をコイル内で往復移動させることで、前記コイルに電流が誘起し発電する振動発電機に使用され、筒状部材内を往復移動可能に設けた可動子であって、複数の永久磁石と、前記複数の永久磁石の同極同士を対向させて締結する締結部材と、前記複数の永久磁石の間に設けた緩衝部材とを備え、少なくとも一つの前記永久磁石のうち前記緩衝部材と対向する対向面に、前記緩衝部材と前記対向面との接触面積を縮減する縮減部を備えている。
【００１４】
第二態様によれば、緩衝部材と永久磁石との接触面積が縮減される。締結部材によって永久磁石をかしめる力が一定の場合、縮減部がない場合に比べ、永久磁石が緩衝部材を挟みこむ単位面積あたりの力は大きくなる。緩衝部材は大きな圧力で押し潰され、薄くなりやすくなる。また縮減部は、押し潰された緩衝部材が逃げこむ領域となるので、緩衝部材は更に押し潰されやすくなる。これによって、複数の永久磁石間の距離を小さくできる。複数の永久磁石から発生する磁束密度は大きくなる。また、縮減部がない場合に比べ、締結部材によって永久磁石に大きな力を加えることなく、永久磁石間に隙間が生じることを防止できる。複数の永久磁石は、締結部材によって押さえつける力が小さい場合であっても、緩むことなく確実に固定される。従って、複数の永久磁石を締結する際に永久磁石が破損することを抑制できる。
【図面の簡単な説明】
【００１５】
【図１】振動発電機１の構成を示す図である。
【図２】可動子１３の構成を示す図である。
【図３】永久磁石１４を右側から見た図である。
【図４】可動子１３が作製される工程を示す図である。
【図５】可動子１３が作製される工程を示す図である。
【図６】可動子１３が作製される工程を示す図である。
【図７】第一変形例における可動子３３の構成を示す図である。
【図８】永久磁石３４の図７におけるＩ−Ｉ線矢視方向断面図である。
【図９】第二変形例における可動子５１の構成を示す図である。
【発明を実施するための形態】
【００１６】
以下、本発明の一実施形態における振動発電機１について、図面を参照して説明する。参照される図面は、本発明が採用しうる技術的特徴を説明するために用いられるものである。記載されている装置の構成は、それのみに限定する趣旨ではなく、単なる説明例である。
【００１７】
振動発電機１について、図１から図３を参照して説明する。図１における紙面左右方向を、振動発電機１の左右方向と定義する。振動発電機１は、筐体１７を備えている。筐体１７の形状は円筒形である。筐体１７の両端は開口している。筐体１７で囲まれた空間に、ボビン１１が収容されている。ボビン１１の形状は円筒形である。ボビン１１の両端は開口している。筐体１７とボビン１１とは、長手方向が同一方向となるように配置されている。ボビン１１の長手方向の長さは、筐体１７と略同一である。ボビン１１の径は、筐体１７の径の略半分である。筐体１７、及びボビン１１の両端の開口部分に、固定部材１８が設けられている。固定部材１８は、筐体１７及びボビン１１の両側の開口部分を覆い、且つ、筐体１７の内部にボビン１１を固定している。ボビン１１の内側に可動子１３が収容されている。筐体１７、ボビン１１、固定部材１８の材料として、樹脂（アクリル樹脂）等の非磁性体材料が使用できる。なお、ボビン１１が本発明の「筒状部材」に相当する。
【００１８】
なお、筐体１７及びボビン１１の形状は円筒形に限定されない。筐体１７及びボビン１１の形状は、例えば、楕円筒形状、四角筒等その他の多角筒形状であってもよい。筐体１７及びボビン１１の材料は、非磁性体であれば、銅、アルミニウム、真鍮等の金属であってもよい。また、筐体１７は鉄やステンレス等の磁性体材料でも構わない。
【００１９】
ボビン１１の外周面にコイル２１，２２，２３が巻回されている。コイル２１，２２，２３は、ボビン１１の左右略中央部分に、ボビン１１の長手方向と直交する方向に巻回されている。コイル２１、２３は同一方向に巻回されている。コイル２２は、コイル２１，２３と逆方向に巻回されている。コイル２１，２２，２３の材料として、銅が使用できる。なお、コイル２１，２２，２３は、ボビン１１の全周にわたって巻回されていてもよい。
【００２０】
可動子１３は、ボビン１１内を長手方向に自在に移動可能に設けられている。可動子１３は、永久磁石１４，１５、締結部材１６、及び緩衝部材２４を備えている。永久磁石１４，１５の形状は円柱形である。永久磁石１４と永久磁石１５とは、同一形状である。永久磁石１４，１５の径は、ボビン１１の径と比較して僅かに小さい。永久磁石１４，１５は、ボビン１１と長手方向が同一方向となるように配置されている。永久磁石１４，１５は、其々長手方向に磁化されている。永久磁石１４の右端と、永久磁石１５の左端とは同じ極性を有している。永久磁石１４，１５は、同極を対向させた状態で、左右方向に一直線上に並べて配置されている。永久磁石１４の左端から永久磁石１５の右端までの長さは、ボビン１１の左右方向の長さの約１／３である。なお、永久磁石１４，１５の形状は円柱形に限定されないが、ボビン１１内と同一の断面形状を有していることが望ましい。
【００２１】
図２及び図３に示すように、永久磁石１４の右側壁は、壁部１４ａ、縮減部１４ｂ、及び貫通穴１４ｃを備えている。図２に示すように、永久磁石１５の右側壁は、壁部１５ａ、縮減部１５ｂ、及び貫通穴１５ｃを備えている。壁部１５ａ、縮減部１５ｂ、及び貫通穴１５ｃの形状は、壁部１４ａ、縮減部１４ｂ、及び貫通穴１４ｃの形状と同一である。以下、壁部１５ａ、縮減部１５ｂ、及び貫通穴１５ｃの形状の説明は省略している。
【００２２】
壁部１４ａは、永久磁石１４の右側壁の一部分である。壁部１４ａは、永久磁石１４の右側壁の外縁から、円柱の中心軸方向に向かって延びている。縮減部１４ｂは、永久磁石１４の右側壁に設けられた凹部である。図３に示すように、永久磁石１４を右側から見た場合の縮減部１４ｂの周縁の形状は、円形状である。永久磁石１４を右側から見た場合の縮減部１４ｂの周縁の径は、永久磁石１４の径の略２／３である。図２に示すように、縮減部１４ｂは、中心に向かうに従い、深さが徐々に大きくなっている。縮減部１４ｂの内壁は、球面を形成するように湾曲している。図３に示すように、貫通穴１４ｃは、永久磁石１４を右側から見た場合の縮減部１４ｂの中心に設けられている。永久磁石１４を右側から見た場合の貫通穴１４ｃの形状は円形である。貫通穴１４ｃの径は、縮減部１４ｂの周縁の径の略１／４である。図２に示すように、貫通穴１４ｃは、永久磁石１４の円柱形の中心軸部分を左右に貫通している。
【００２３】
永久磁石１４と永久磁石１５との間に、緩衝部材２４が挟持されている。緩衝部材２４の形状は、略円形板状である。緩衝部材２４は、弾性力を有している。緩衝部材２４の径は、永久磁石１４、１５の径と比較してわずかに小さい。緩衝部材２４の外縁は、永久磁石１４、１５の外縁よりも内側にある。緩衝部材２４は、中心に穴を備えている。緩衝部材２４のうち、永久磁石１４の壁部１４ａと永久磁石１５の左側壁１５ｄとで挟まれた外周部分が押し潰されている。緩衝部材２４のうち、永久磁石１４の壁部１４ａと永久磁石１５の左側壁１５ｄとで挟まれた部分よりも内側の内周部分は、外周部分で押し潰された緩衝部材２４が内側に押し出された結果、永久磁石１４側に曲がっている。
【００２４】
緩衝部材２４の材料として、弾力性のある周知の材料が使用できる。例えば、シリコンゴム、イソプレンゴム、ニトリルゴム、ブタジエンゴム等が使用できる。
【００２５】
永久磁石１４と永久磁石１５とを締結する締結部材１６が設けられている。締結部材１６は、頭部１６ａ、軸部１６ｂ、及び係止部１６ｃを備えている。頭部１６ａの形状は円形板状である。頭部１６ａは、表裏面を左右方向に向けた状態で、永久磁石１５の壁部１５ａに接触している。頭部１６ａの径は、永久磁石１５の径と比べて小さい。頭部１６ａの中心から、軸部１６ｂが左側に延びている。軸部１６ｂは、永久磁石１４の貫通穴１４ｃ及び永久磁石１５の貫通穴１５ｃ内を通っている。軸部１６ｂの形状は円柱形である。軸部１６ｂの径は、貫通穴１４ｃ、１５ｃの径よりも僅かに小さい。軸部１６ｂの左右方向の長さは、永久磁石１４の左端から永久磁石１５の右端までの長さと略等しい。軸部１６ｂの左端に、二つの係止部１６ｃが設けられている。其々の係止部１６ｃの形状は板状である。係止部１６ｃは、軸部１６ｂの左端で、軸部１６ｂの軸方向と直交する方向に曲げられている。頭部１６ａ及び係止部１６ｃは、永久磁石１４，１５を挟み込んでいる。これによって永久磁石１４、１５は、互いに近接した状態で固定される。締結部材１６は、永久磁石１４と永久磁石１５との間に働く反発力によって永久磁石１４，１５が互いに離れてしまうことを防いでいる。締結部材１６の材料としては、非磁性体材料（樹脂、金属等）が使用できる。
【００２６】
緩衝部材２４は、永久磁石１４，１５間に隙間が生じて、永久磁石１４，１５が緩むことを防止している。緩衝部材２４がない場合、永久磁石１４，１５間に僅かに隙間が生じてしまう場合がある。隙間が生じると、永久磁石１４と永久磁石１５との間の反発力によって、永久磁石１４と永久磁石１５とはわずかに移動する。永久磁石１４、１５は、可動子１３の移動方向と直交する方向に互いにずれる。永久磁石１４，１５のずれは、可動子１３の振動運動を阻害するので、振動発電機１の発電効率の低下の要因となる。これに対し、緩衝部材２４を設けることで、永久磁石１４，１５は左右方向に押し出され、永久磁石１４，１５は締結部材１６に押し付けられる。締結部材１６と永久磁石１４、１５との間は常に密着し、隙間は形成されない。永久磁石１４、１５は緩むことなく、確実に締結部材１６に固定される。また、永久磁石１４，１５間は緩衝部材２４によって埋められるので、隙間は形成しない。永久磁石１４，１５は互いにずれないので、可動子１３は滑らかにボビン１１内を振動する。従って、振動発電機１は効率良く発電することができる。
【００２７】
図４から図６を参照し、可動子１３の作製方法について説明する。図４に示すように、はじめに、永久磁石１４と永久磁石１５とが左右に並べて配置される。永久磁石１５の左側壁１５ｄに、緩衝部材２４が配置される。締結部材１６が、永久磁石１５の貫通穴１５ｃの右側から通される。締結部材１６の係止部１６ｃは、予め軸方向に延びた状態に調整されている。軸部１６ｂが貫通穴１４ｃ、１５ｃに挿通した状態で、永久磁石１４は永久磁石１５側に近づけられる。
【００２８】
図５に示すように、永久磁石１４が左側から永久磁石１５に近づけられることで、永久磁石１４の壁部１４ａと緩衝部材２４とが接触する。さらに永久磁石１４は永久磁石１５側に近づけられ、永久磁石１４は緩衝部材２４に押し付けられる。緩衝部材２４は、永久磁石１４の壁部１４ａとの接触部分で、壁部１４ａと、永久磁石１５の左側壁１５ｄとによって押し潰される。このように、永久磁石１４の右側壁に縮減部１４ｂが設けられているので、壁部１４ａのみが緩衝部材２４と接触する。永久磁石１４と緩衝部材２４との接触面積は小さくなっているので、永久磁石１４を永久磁石１５側に押し付ける力は、壁部１４ａに集中的に加わる。このため、永久磁石１４と永久磁石１５とが緩衝部材２４を挟みこむ単位面積あたりの圧力は大きくなり、緩衝部材２４は強い力で押し潰され、薄くなりやすくなる。
【００２９】
永久磁石１４と永久磁石１５とによって緩衝部材２４の一部分に力が加えられることで、緩衝部材２４は、力が加わった部分から外方に押し出される。図６に示すように、永久磁石１４の右側壁には縮減部１４ｂが設けられているので、永久磁石１４と永久磁石１５との間には空間が形成される。押し出された緩衝部材２４は、縮減部１４ｂによって形成された空間に逃げ込むことができる。これによって緩衝部材２４は、更に効率的に押し潰され、薄くなりやすくなる。また緩衝部材２４は、永久磁石１４、１５の外縁よりも内側に設けられている。これによって、緩衝部材２４に対して力が加わり、緩衝部材２４が外方に押し出された場合でも、緩衝部材２４は、永久磁石１４、１５の外縁から外側にはみ出さない。
【００３０】
永久磁石１４を永久磁石１５に押し付けた状態で、締結部材１６の係止部１６ｃは、軸方向と直交する方向に曲げられ、かしめられる。これによって、締結部材１６の頭部１６ａと係止部１６ｃとは、永久磁石１４が永久磁石１５に押し付けられた状態で、永久磁石１４及び永久磁石１５を挟み込む。締結部材１６によって永久磁石１４，１５をかしめる力が一定である場合、永久磁石１４と緩衝部材２４との接触面積が小さい程、永久磁石１４が緩衝部材２４に対して作用する圧力は大きくなる。永久磁石１４と緩衝部材２４との接触部分は壁部１４ａに限定されているので、緩衝部材２４は大きな圧力で押し潰され薄くなる。永久磁石１４と永久磁石１５の間の距離が短くなる程、永久磁石１４、１５から発生する磁束密度は大きくなるので、振動発電機１は効率良く発電することができる。
【００３１】
また、永久磁石１４の壁部１４ａは、永久磁石１４の右側壁の周縁に設けられている。永久磁石１４の右側壁の周縁と、永久磁石１５の左側壁の周縁とが近接した状態となる。永久磁石１４、１５の周縁同士を近接させることによって、永久磁石１４、１５から発生する磁束密度は更に大きくなる。従って、振動発電機１はさらに効率良く発電することができる。
【００３２】
なお、永久磁石１４に縮減部１４ｂを設けることで、締結部材１６が永久磁石１４、１５を挟み込む力が弱い状態でも、緩衝部材２４は十分薄くなる。従って、永久磁石１４、１５を締結する際に強い力を加える必要がなくなるので、永久磁石１４、１５や締結部材１６の破損を抑制することができる。
【００３３】
振動発電機１の動作について、図１を参照して説明する。ユーザは、筐体１７が長手方向に振動するように、振動発電機１を振動させる。運動エネルギーが、筐体１７に加えられる。可動子１３とボビン１１との摩擦力、及び、可動子１３に対する気体からの抵抗力などを介して、運動エネルギーが可動子１３に伝達する。可動子１３は、ボビン１１内を長手方向に往復移動する。可動子１３は、コイル２１，２２，２３に覆われた空間を出入りする。コイル２１，２２，２３内の空間を通過する際、可動子１３の永久磁石１４，１５が発する磁束が、コイル２１，２２，２３を直交する。これによって、コイル２１，２２，２３に誘導電流が発生する。可動子１３がコイル２１，２２，２３内の空間への出入りを繰り返すことで、コイル２１，２２，２３に交流電流が発生する。コイル２１，２２，２３に発生した交流電流は、コイル２１，２２，２３の其々の両端に接続された配線を介して、図示外の整流部に伝達する。整流部では、交流電流の全波整流が行われ、図示外の蓄電部によって蓄電される。蓄電された電流は、図示外の電極を介して外部に出力される。外部に出力された電流は、外部装置の負荷に供給される。外部装置は、供給された電流によって駆動する。
【００３４】
可動子１３のうち緩衝部材２４の外縁は、永久磁石１４、１５の外縁よりも内側にある。締結部材１６は永久磁石１４、１５から外側にはみ出していない。ユーザが筐体１７を振動させた場合、緩衝部材２４はボビン１１に引っ掛からないので、永久磁石１４、１５はボビン１１に沿って滑らかに往復移動する。従ってユーザは、効率よく振動発電機１を発電させることができる。
【００３５】
さらに、緩衝部材２４は永久磁石１４、１５間の隙間を埋めている。これによって、可動子１３が往復移動した場合に永久磁石１４，１５及び締結部材１６に加わる衝撃を和らげ、可動子１３の破損を防止できる。上述の実施形態によれば、緩衝部材２４は締結部材１６と接していないが、緩衝部材２４の内径が締結部材１６の軸部１６ｂと接していてもよい。これにより、３つ以上の複数の磁石を同極対向して配置する場合、締結部材１６の頭部１６ａと係止部１６ｃにかかる磁石の反発力を締結部材１６の軸部１６ｂと緩衝部材２４の摩擦力により低減でき、締結部材１６の負荷を減らすことができる。
【００３６】
以上説明したように、振動発電機１では、緩衝部材２４と永久磁石１４との接触面積は、縮減部１４ｂを設けることで縮減されている。締結部材１６によって磁石をかしめる力が一定の場合、縮減部１４ｂがない場合に比べ、永久磁石１４，１５が緩衝部材２４を挟みこむ圧力は大きくなっている。緩衝部材２４は大きな圧力で押し潰され薄くなりやすくなる。また縮減部１４ｂは、押し潰された緩衝部材２４が逃げこむ領域を形成する。従って緩衝部材２４は更に押し潰されやすくなる。これによって、永久磁石１４，１５間の距離は小さくなる。従って、永久磁石１４，１５から発生する磁束密度は大きくなるので、振動発電機１は効率良く発電することができる。
【００３７】
なお本発明は、上述実施形態に限定されるものではなく、種々の変更が可能である。上述の実施の形態では、永久磁石１４と永久磁石１５とは同一形状であったが、本発明はこれに限定されない。永久磁石１４と永久磁石１５とは異なる形状であってもよい。永久磁石１５の締結部材と接する側に縮減部１５ｂが設けられていたが、永久磁石１５は締結部材と接する側に縮減部１５ｂを備えていなくてもよい。又は、永久磁石１５は、永久磁石１４と近接する側にも縮減部１５ｂを備えていてもよい。緩衝部材２４の形状は円形板状であったが、緩衝部材２４は他の形状であってもよい。緩衝部材２４は、永久磁石１４の壁部１４ａと永久磁石１５の左側壁１５ｄとの間のすべての部分に設けられなくてもよい。緩衝部材２４は、縮減部１４ｂの内部に設けられてもよい。締結部材１６の頭部１６aと永久磁石１５の間であってもよい。締結部材１６の形状は、上述した形状に限定されない。締結部材１６は、永久磁石１４，１５を外側から覆って固定するうような構造を有していてもよい。この場合、縮減部には上述の実施形態のような貫通穴が設けられなくてもよい。本発明における縮減部１４ｂの形状は、上述した形状に限定されない。以下、本発明の変形例（第一変形例、第二変形例）について説明する。
【００３８】
本発明の第一変形例における可動子３３について、図７及び図８を参照して説明する。可動子３３は、永久磁石３４，３５、締結部材１６、及び緩衝部材３６を備えている。永久磁石３４と永久磁石３５とは、同一形状である。永久磁石３４の右側壁は、壁部３４ａ、３４ｂ、縮減部３４ｃ、及び貫通穴３４ｄを備えている。永久磁石３５の右側壁は、壁部３５ａ、３５ｂ、縮減部３５ｃ、及び貫通穴３５ｄを備えている。壁部３５ａ、３５ｂ、縮減部３５ｃ、及び貫通穴３５ｄの形状は、壁部３４ａ、３４ｂ、縮減部３４ｃ、及び貫通穴３４ｄと同一である。
【００３９】
縮減部３４ｃは、永久磁石３４の右側壁に設けられた凹部である。図８に示すように、縮減部３４ｃは、永久磁石１４の右側壁に形成された、円形状に周回した溝である。縮減部３４ｃによって分割された永久磁石３４の右側壁のうち、外周側の右側壁が、壁部３４ａに相当する。縮減部３４ｃによって分割された永久磁石３４の右側壁のうち、内周側の右側壁が、壁部３４ｂに相当する。壁部３４ｂの中心に、貫通穴３４ｄが設けられている。
【００４０】
永久磁石３４と永久磁石３５との間に、緩衝部材３６が挟持されている。緩衝部材３６の形状は、円形板状である。緩衝部材３６の外縁は、永久磁石３４、３５の外縁よりも内側にある。緩衝部材３６は、中心に穴を備えている。緩衝部材３６のうち、永久磁石３４の壁部３４ａ及び壁部３４ｂと永久磁石１５の左側壁３５eとで挟まれた部分が押し潰され薄くなっている。緩衝部材３６のうち、縮減部３４ｃに対応する部分には、押し潰された緩衝部材３６が逃げ込んでいる。その結果、緩衝部材３６のうち縮減部３４ｃに対応する部分の厚さは、壁部３４ａ及び壁部３４ｂに対応する部分に比べて大きくなっている。
【００４１】
永久磁石３４に縮減部３４ｃを設けることで、永久磁石３４と緩衝部材３６との接触部分は、壁部３４ａ及び壁部３４ｂに限定される。このため、永久磁石３４と緩衝部材３６との接触面積は小さくなる。締結部材１６によって永久磁石３４，３５をかしめる力が一定である場合、永久磁石３４と緩衝部材３６との接触面積が小さい程、永久磁石３４が緩衝部材３６に対して作用する圧力は大きくなる。従って、緩衝部材３６は大きな圧力で押し潰され薄くなりやすくなる。永久磁石３４と永久磁石３５の間の距離が短くなる程、永久磁石３４、３５から発生する磁束密度は大きくなるので、振動発電機１は効率良く発電することができる。
【００４２】
また縮減部３４ｃは、押し潰された緩衝部材３６が押し出され、逃げこむ領域となる。従って緩衝部材３６は更に押し潰されやすくなる。これによって、永久磁石３４と永久磁石３５との間の距離を更に短くできるので、振動発電機１はさらに効率良く発電することができる。
【００４３】
また、永久磁石３５と近接する永久磁石３４の壁部３４ａは、永久磁石３４の右側壁の周縁に設けられている。永久磁石３４、３５の周縁同士を近接させることによって、永久磁石３４、３５から発生する磁束密度は更に大きくなる。従って、振動発電機１はさらに効率良く発電することができる。
【００４４】
本発明の第二変形例における可動子５１について、図９を参照して説明する。可動子５１は、永久磁石５４、５５、締結部材５２、及び緩衝部材５３を備えている。永久磁石５４、５５の形状は円柱形である。永久磁石５４は、左右に貫通する貫通穴５４ａを備えている。永久磁石５５は、左右に貫通する貫通穴５５ａを備えている。締結部材５２の形状は、略円筒形状である。締結部材５２の左右端部５２ｂは、側壁部５２ａから内側に張り出している。締結部材５２は、内部に永久磁石５４、５５を保持することで、永久磁石５４，５５を外側から覆っている。締結部材５２の左右端部５２ｂは、永久磁石５４、５５を挟み込んでいる。永久磁石５４と永久磁石５５との間に、緩衝部材５３が挟持されている。
【００４５】
第二変形例では、貫通穴５４ａが縮減部として作用する。永久磁石５４に貫通穴５４ａを設けることで、永久磁石５４と緩衝部材５３との接触面積は小さくなる。従って緩衝部材５３は、永久磁石５４及び永久磁石５５によって大きな圧力で押し潰され薄くなりやすくなる。また貫通穴５４ａは、押し潰された緩衝部材５３が逃げこむ領域となる。これらによって、永久磁石５４と永久磁石５５との間の距離は短くなるので、振動発電機１は効率良く発電することができる。なお永久磁石５４には、上述した実施形態及び第一変形例において示した縮減部が設けられていてもよい。この場合、貫通穴５４ａは設けられていなくてもよい。
【符号の説明】
【００４６】
１      振動発電機
１１    ボビン
１３、３３    可動子
１４、１５  永久磁石
１４ａ、１５ａ  壁部
１４ｂ、１５ｂ  縮減部
１６    締結部材
１７    筐体
２１、２２、２３  コイル
２４  緩衝部材
３４、３５  永久磁石
３４ａ、３４ｂ、３５ａ、３５ｂ  壁部
３４ｃ、３５ｃ  縮減部
３６    緩衝部材
【図１】
2012050218.tif 000003
【図２】
2012050218.tif 000004
【図３】
2012050218.tif 000005
【図４】
2012050218.tif 000006
【図５】
2012050218.tif 000007
【図６】
2012050218.tif 000008
【図７】
2012050218.tif 000009
【図８】
2012050218.tif 000010
【図９】
2012050218.tif 000011